(57)【要約】【課題】  間接活線把持工具を用いた間接活線作業において電線の揺動や振れを防止しつつ、大きな力を必要とせず、作業性も良好であり、電線に防護管を簡単に装着できる小型軽量の防護管装着工具を提供する。【解決手段】  長さ方向に切り込まれた割り部を備える筒状の防護管を電線に装着するための防護管装着工具であって、間接活線把持工具の２つの把持片の先端にそれぞれ取り付けられる１対の挟持片で構成され、前記電線を挟持する挟持部と、当該挟持部の外周面に設けられ、前記防護管をその割り部から拡開させるとともに当該防護管の移動方向を前記挟持部によって挟持される電線に鋭角に接近するように規制する防護管拡開案内部とを備えてなる防護管装着工具。防護管拡開案内部は、支柱部と、これによって前記挟持部の架線方向に対して鋭角に支持され、前記防護管の内部に挿入されて前記防護管の移動方向を規制する案内部とを備えたものであることが好ましい。【選択図】  図２
2008178277.tif 000002
【特許請求の範囲】
【請求項１】
長さ方向に切り込まれた割り部を備える筒状の防護管を間接活線作業によって電線に装着するのに用いられる防護管装着工具であって、間接活線把持工具の２つの把持片の先端にそれぞれ取り付けられる１対の挟持片で構成され、前記電線を挟持する挟持部と、当該挟持部の外周面に設けられ、前記防護管をその割り部から拡開させるとともに当該防護管の移動方向を前記挟持部によって挟持される電線に鋭角に接近するように規制する防護管拡開案内部とを備えてなることを特徴とする防護管装着工具。
【請求項２】
前記防護管拡開案内部は、前記挟持部の外周面に立設される支柱部と、該支柱部の先端に前記挟持部によって挟持される電線に対して鋭角に支持され、前記防護管の内部に挿入されて前記防護管の移動方向を規制する案内部とを備えてなる請求項１に記載の防護管装着工具。
【請求項３】
前記案内部は、前記防護管端部の開口よりも幅狭に形成された挿入端部と、前記防護管の移動方向に直交する方向の幅が当該開口よりも幅広となる幅広部とを備え、前記挿入端部から前記防護管の移動方向両側に延びる両側辺は前記幅広部に向けて次第に拡幅されてなる板状体である請求項２に記載の防護管装着工具。
【請求項４】
前記幅広部は、当該防護管の移動方向に直交する方向の幅が前記防護管端部の開口の内径に前記電線の外径を加えた長さと略同等か、それよりも幅広となる最大幅部を含んでなる請求項２または３に記載の防護管装着工具。
【請求項５】
前記支柱部は、前記案内部の挿入端部側に尖鋭な端部と、当該端部から前記挟持部の開口方向または前記防護管の移動方向に沿って当該方向両側に湾曲して延びる両側面とを備えており、当該両側面間の前記方向に直交する方向の距離が最大となる部分を含んでなる請求項２〜４のいずれか１項に記載の防護管装着工具。
【請求項６】
前記両側面間の距離が最大となる部分における当該距離は、前記電線の外径と略同等か、それよりも大きく設定されてなる請求項５に記載の防護管装着工具。
【請求項７】
前記防護管拡開案内部は、前記挟持部の開口方向に沿って縦断する２つ割り面で分割されており、当該分割されたそれぞれは前記１対の挟持片の外周面における先端側の側縁領域にそれぞれ設けられてなる請求項１〜６のいずれか１項に記載の防護管装着工具。
【発明の詳細な説明】
【技術分野】
【０００１】
本発明は、間接活線作業によって、電線に防護管を装着するのに用いられる防護管装着用工具に関する。
【背景技術】
【０００２】
従来より、架空電線路では、工事などの作業中に電線に触れて感電したり、電線自体を損傷してしまうことを防止し、工事などを行う前に触れるなどしてはいけない電線の存在を認識し易くして注意を喚起するために電線に円筒状の防護管を装着することが行われている。このような防護管を電線に装着する際には、防護管脱着装置を用いることが知られている。
【０００３】
この防護管脱着装置は、油圧モータを取り付けた大掛かりな装置であり、長い距離の電線を防護する必要がある場合に、防護管を連結させつつ電線をその内部に挿入して内装状態にするものである。この電線への防護管装着作業は、通常、活線状態で行われるため、作業者との間の絶縁性を確保する必要があることから、前記防護管脱着装置は、絶縁性の確保されている操作棒の先端に取り付けて使用される（例えば、特許文献１、２参照）。
【０００４】
しかしながら、防護管内に挿入して保護する必要がある電線として、前記の場合以外にも、例えば、柱上変圧器などを吊架した装柱において電線に張力がかからないように弛ませた縁線部分や高圧引下線にも間接活線作業によって防護管を装着して保護することが必要な場合がある。このような場合、前記のような大掛かりな防護管脱着装置を使用するのは大変であり、電線が錯綜し作業スペースを確保できず当該装置を使用できないこともある。また、縁線部分の電線は、これに防護管脱着装置のような重い装置の荷重がかかった場合、断線などのおそれもある。
【０００５】
そのため、このような縁線部分などの電線には、簡易な構造の防護管を電線に装着することが行われている。この防護管６０は、柔軟性の高い材料で形成され、自由に屈曲する蛇腹状の円筒形状をなしており、その外周面には長さ方向に電線を挿入するための割り部６０ａが切り込まれたものである（図８参照）。また、この割り部６０ａにおいて向き合う防護管６０の両縁にはそれぞれ当該防護管６０に内挿される電線Ｗから絶縁性を確保するために法線方向外方に脚部６１、６１が形成されている。そして、このような蛇腹状の防護管６０を電線Ｗに装着する工具として、図７に示す拡開補助具が知られている（特許文献３参照）。
【０００６】
この拡開補助具７０は、差込部７１と把手部７２とを備えるように形成されており、１枚の板状材料、例えば円筒状の樹脂材料などから切り出して変形させることにより、あるいは樹脂成形などすることにより作製されるものである。差込部７１は、防護管端部の開口よりも幅狭に形成された先端部７１ａと、この先端部７１ａに連続して徐々に両側辺が拡大する傾斜部７１ｂと、この傾斜部７１ｂに連続する両側辺が防護管端部の開口よりも幅広で長さ方向に平行になるように形成された後端部７１ｃとを備え、これら各部を前記方向に直角に湾曲させた板体であり、その後端部７１ｃからは把持可能な面積を有する挟持部７２が、差込部７１の外面側に屈曲して設けられている。この拡開補助具７０を防護管６０端部の開口に差込部７１の先端部７１ａ側から差し込んでいき、当該端部の割り部６０ａを拡開させた状態に保持するために使用されるものである。しかし、この拡開補助具７０を用いただけでは、把持工具を用いて防護管の端部分には電線を容易に挿入できるが、この拡開補助具が届かない防護管の中央部分では、その管軸方向に直角な方向に非常に大きな力を加えて当該防護管の割り部６０ａを拡開させながら電線を押し込む必要があった。
【０００７】
そのため、このように大きな力を必要とせずに、防護管への電線の押し込み作業を行えるよう、前記拡開補助具とともに挿入補助具が併用されてきている（特許文献３参照）。図８は、この挿入補助具と前記拡開補助具とを併用して電線に防護管を装着している状況を模式的に示した図である。この図に示すように、この挿入補助具７５は、２つのツマミ部７６ａ、７６ｂを有するクリップ状の本体部材７６の両側面にローラ部材７７を有し、当該本体部材７６の一端に外方に向って延在する挟み部７８を有する構造を備えている。
【０００８】
この挿入補助具７５は、通常、以下のように用いられる。ヤットコ（図９参照）などの把持工具でクリップ状の本体部材７６のつまみ部７６ａ、７６ｂをつかんで広げた状態で、この挿入補助具７５を電線Ｗに近づけて電線Ｗを把持する。その上で、予め端部の開口に拡開補助具７０を差し込んで割り部６０ａを拡開した状態にした防護管６０をこの挿入補助具７５に近づけ、この拡開した端部に挿入補助具７５の挟み部７８を割り込ませるようにする。挿入補助具７５の両側面のローラ部材７７に防護管６０の割り部６０ａの両側縁が当接した状態でこの防護管６０を図中矢印の方向にスライド移動させることで、挿入補助具７５に把持された電線Ｗは、防護管６０内に挿入されていくことになる。
【特許文献１】特開２０００−１９７２２５号公報
【特許文献２】特開２００３−４７１１５号公報
【特許文献３】特開２００５−３１８７８４号公報
【発明の開示】
【発明が解決しようとする課題】
【０００９】
しかし、前記の挿入補助具および拡開補助具を併用して電線に防護管を装着する場合、風などによって電線が揺動し、またこれらの補助具を取り付けた防護管を移動させてこれを電線に装着しようとすると、電線が振れてしまい、装着作業を行いにくいといった問題があった。
【００１０】
また、高圧カットアウトのリード線（ＥＰラバー電線）やその他の高圧引下線などの軟質の電線は癖がつき易く、これらの電線に癖が付いた場合、前記２種類の補助具を用いても電線に防護管を装着するのが困難となり、時間がかかるといった問題があり、最悪の場合には作業者が直接活線作業によって防護管の装着作業をしなければならない場合があった。
【００１１】
そこで、本発明は、前記課題を解決すべく、間接活線作業において電線の揺動や振れを防止しつつ、大きな力を必要とせず、作業性も良好であり、電線に防護管を簡単に装着できる小型軽量の防護管装着工具を提供することを目的とする。
【課題を解決するための手段】
【００１２】
前記目的は、本発明によれば、長さ方向に切り込まれた割り部を備える筒状の防護管を間接活線作業によって電線に装着するのに用いられる防護管装着工具であって、間接活線把持工具の２つの把持片の先端にそれぞれ取り付けられる１対の挟持片で構成され、前記電線を挟持する挟持部と、当該挟持部の外周面に設けられ、前記防護管をその割り部から拡開させるとともに当該防護管の移動方向を前記挟持部によって挟持される電線に鋭角に接近するように規制する防護管拡開案内部とを備えてなることを特徴とする防護管装着工具によって達成される。
【００１３】
前記防護管拡開案内部は、前記機能を具備するものであればその構造について制限されないが、前記挟持部の外周面に立設される支柱部と、該支柱部の先端に前記挟持部によって挟持される電線に対して鋭角に支持された案内部とを備えた構造とするのが好ましい。この場合、案内部は、前記防護管内に挿入され、前記防護管を電線に対して相対移動させることで、これを前記電線に鋭角に接近するように前記防護管の移動方向を規制するように機能する。また、前記防護管をその割り部から拡開させるのは、この案内部若しくは支柱部、またはこれら双方とすることができる。また、この防護管拡開案内部は、本発明の防護管装着工具を把持工具に取り付けた場合に、前記挟持部において当該把持工具の長さ方向先端側となる外周面の部分（２つの把持片によって区画され、これらで囲まれた内側の部分を除いた部分）に適宜設けることができる。なお、本明細書では、以下この「先端側」をこのような意味で用いている。
【００１４】
前記案内部は、これによって前記防護管の割り部を拡開させる場合、前記防護管端部の開口よりも幅狭に形成された挿入端部と前記防護管の移動方向に直交する方向の幅が当該開口よりも幅広となる幅広部とを備え、前記挿入端部から前記防護管の移動方向両側に延びる両側辺は前記幅広部に向けて次第に拡幅されている板状体で構成するのが好ましい。この幅広部は、前記案内部において挿入端部寄りから後端までの前記防護管の移動方向に沿った任意の位置に設けることができる。具体的には、この板状体は前記幅広部から前記挿入端部に向けて三角形状、流線形状、楕円形状、放物線形状（２次曲線形状）などに形成され、全体として略菱形状、楕円形状、略弾丸形状などの平面形状を備えたものとすることができる。また前記両側辺の表裏面との縁部分には、それぞれ面取りなどの加工を施すことができる。なお、この板状体の厚さは、適宜設定できる。
【００１５】
前記案内部をこのように構成することで、前記防護管の開口端にこの案内部がその挿入端部から挿入されるように当該防護管を電線に対して相対移動させると、前記案内部は当該防護管の移動方向を電線に鋭角に接近するように規制するとともに、その幅広部によって該防護管の割り部よりも相対的に変形させやすい管壁を内部から外部に向けて押し広げて当該防護管をその割り部から拡開させることができる。さらに前記防護管を相対移動させることで、前記電線に接近した前記防護管は前記拡開された割り部から前記電線の外周面に当接し、さらに前記電線に対して鋭角に相対移動しようとするので、従来の電線への防護管装着作業の場合よりも小さい力で防護管内に前記電線を内挿することができる。
【００１６】
この幅広部は、さらに当該防護管の移動方向に直交する方向の幅が前記防護管端部の開口の直径に前記電線の外径を加えた長さと略同等か、それよりも幅広となる最大幅部を含んでいることがより好ましい。これにより、前記防護管はさらに割り部が電線の外径と同程度またはそれ以上に拡開された状態で電線に接近するので、さらに小さい力で当該電線を防護管内に内挿できる。
【００１７】
前記支柱部は、前記案内部の挿入端部側に前記挟持部の開口方向または前記防護管の移動方向に向けて設けられる尖鋭な端部と、当該端部から前記挟持部の開口方向または前記防護管の移動方向に沿って当該方向両側に湾曲して延びる両側面とを備えていることが好ましい。これにより、前記防護管を電線に対して相対移動させる際に当該防護管の開口端における割り部や脚部が当該支柱部に引っかかって当該防護管が移動できないといった弊害を防止できる。
【００１８】
前記支柱部は、これによって前記防護管の割り部を拡開させる場合、この支柱部の前記挟持部の開口方向または前記防護管の移動方向に直交する方向の前記両側面間の距離が前記電線の外径と略同等か、またはそれ以上となる部分を設けるようにすることが好ましい。支柱部にこのような部分を設けることで、前記案内部の幅広部（最大幅部）と同様に、またはこれと相乗して前記防護管の割り部を前記電線の外径と略同等かそれ以上に拡開することができ、この状態で前記電線に対して相対移動するので、前記拡開された割り部から当該電線を前記防護管内に容易に内挿することができる。
【００１９】
さらに前記防護管拡開案内部は、前記挟持部の開口方向に沿って縦断する分割面で２つに分割されており、当該分割されたそれぞれは前記１対の挟持片の外周面における先端側の側縁領域にそれぞれ設けることもできる。分割されたそれぞれは、互いに鏡像関係にあってもよく、鏡像関係になくともよい。
【発明の効果】
【００２０】
本発明の防護管装着工具は、これを把持工具に取り付けた状態で、挟持部によって電線の防護管を装着しようとする箇所付近の任意の位置を直接挟持でき、この状態で当該把持工具を固定することで電線の振れを防止できるので、間接活線作業によって電線に防護管を装着する作業を行いやすくなる。また、本発明の防護管装着工具は、これが備える防護管拡開案内部に防護管を差し込んで電線に対して相対移動させることで、その割り部を拡開させた状態で前記電線に接近させ、当該拡開されている割り部から電線を挿入できるので、防護管の装着作業に際して従来の防護管防護にその管軸方向に直角に電線を押し込む場合のように大きな力を必要とせず、安全に作業を行うことができ、作業性も良好となる。さらに、本発明の防護管装着工具は、それ自体小型で軽量であるため、当該工具の取り扱いも容易である。
【発明を実施するための最良の形態】
【００２１】
次に、添付図面を参照して本発明の防護管装着工具の実施形態について具体的に説明する。図１は、本発明の防護管装着工具の実施形態の一例を示す斜視図を示しており、図２は図１における防護管装着工具の正面図（図中（ａ））および側面図（図中、（ｂ））である。ここで、正面図とは、実施形態における挟持部によって挟持される電線の架線方向から見た図を意味している。なお、以下では、「上下」という場合には、図面に向かって上または下を意味するものとする。
【００２２】
本実施形態における防護管装着工具１は、電線を挟持する１対の挟持片２１、２３からなる挟持部２と、当該挟持片２１、２３の外周面にそれぞれ設けられ、例えば図９に示す把持工具５０の２つの把持片５１、５２がそれぞれ嵌合収容されるよう箱型に形成された基部３、３と、前記挟持片２３の基部３よりも上側（本発明の防護管装着工具１を把持工具５０に取り付けた場合に、把持工具５０の長さ方向先端側に相当。）の外周面に立設された防護管拡開案内部４とを備えている。なお、この防護管拡開案内部４は、図示の位置のほか、挟持片２３において上側の側縁領域や基部３にさらに近接した位置のほか、挟持片２１の外周面に設けてもよい。この設置位置は、作業性などを考慮して適宜決定できる。
【００２３】
挟持部２における１対の挟持片２１、２３は、挟持される電線の外径と略同等かまたはそれよりも僅かに大きい内径を有する円筒体の対向する筒壁の一部を当該円筒体の開口方向に沿ってそれぞれ所定の幅で切り欠いて略半筒体状に形成されている。挟持片２１、２３の開口方向（前記円筒体の開口方向と一致）の長さおよび肉厚については特に制限はなく、適宜設定できる。内周面２１ａ、２３ａには、これらによって挟持される電線の外周の被覆材を損傷する突起などがないようにし、また当該内周面２１ａ、２３ａの管軸方向両端縁は面取りされ、ここで電線が折れ曲がった場合でも傷つくことがないようにすることが好ましい。なお、この挟持片２１、２３としては、前記のような半筒体の外形形状に限定されず、電線の外周に当接可能な内周面を備えたものであれば、その他の外形形状を備えた部材も使用できる。
【００２４】
基部３、３は、１対の挟持片２１、２３の外周面からそれぞれ当該挟持片２１、２３の開口方向に直角に外方に向けて略同一方向に延びる箱状部材３１、３４からなる。この箱状部材３１、３４の自由端面には外方に向けて開口が設けられ、内部に把持工具の２つの把持片５１、５２を嵌合収容する収容室３３、３６を有している。箱状部材３１、３４の側壁には、これらに把持工具の２つの把持片５１、５２の先端をそれぞれ嵌合収容した場合に、これら２つの把持片５１，５２の先端にそれぞれ穿設されている貫通孔（不図示）に対応する位置にねじ孔３２、３５が穿設されている。前記各開口から２つの把持片５１、５２の先端をそれぞれ各収容室３３、３６内に嵌合収容してねじ孔３２、３５に不図示のボルトを螺合することで、本発明の防護管装着工具１は把持工具に取り付けられる。この状態で把持工具を操作することで、前記挟持片２１、２３は互いに接近または離隔し、これによってこの挟持片２１、２３は電線を挟持し、または離すことができるようになっている。
【００２５】
なお、基部３、３としては、前記のような箱状部材に限られず、例えば各挟持片の外周面にそれぞれ突設された突出片などを用いることもできる。この場合、各基部３，３と把持工具のそれぞれの把持片５１，５２の先端とは、当該各把持片５１，５２の先端に穿設された貫通孔を利用してボルトなどの固定具を用いて前記と同様の方法で固定することができる。また、基部３、３は、前記のように各挟持片２１、２３の外周に固着される態様に限られず、例えば軸支などの公知の手段によって各挟持片２１、２３をそれぞれの基部に対して回動可能に固定するようにしてもよい。
【００２６】
本実施形態における前記防護管拡開案内部４は、図１および図２に示すように、挟持片２３の外周面に立設された支柱部４０と、その先端に当該挟持片２３の開口方向に対して鋭角に固定された案内部４４とから構成されている。
【００２７】
支柱部４０は、防護管を挿入する側（以下、防護管挿入側という。）に尖鋭な端部４０ａを有し、当該端部から前記防護管の移動方向に沿って当該方向両側に湾曲して延びる両側面４０ｂ、４０ｃを備えており、支柱部４０の立設方向に直角な方向の断面は略船形状を呈している。支柱部４０は、この両側面４０ｂ、４０ｃ間の前記方向に直交する方向の距離が最大となる部分を含んでいてもよい。
【００２８】
案内部４４は、略菱形の平面形状を備える板状体であって、防護管挿入側に設けられ、防護管端部の開口よりも幅狭に形成された挿入端部４４ａと、防護管の移動方向に沿って当該方向に直交する方向の幅が最大となる最大幅部４４ｂとを備えている。挿入端部４４ａから前記防護管の移動方向両側に延びる両側辺は前記最大幅部４４ｂ、４４ｂに向けて連続的に拡幅され、前記防護管の開口よりも幅広となり（幅広部）、最大幅部４４ｂから前記方向後方の端部までの間では、その反対に両側辺は反対に幅が連続的に縮小されている。この最大幅部４４ｂの最大幅は、案内部４４に挿入される防護管端部の開口の内径に挟持部２によって挟持される電線の外径を加えた長さ以上に設定されている。このように案内部４４に最大幅部４４ｂを設けることで、この防護管拡開案内部４に挿入された防護管の割り部は当該防護管が電線に対して相対移動するにつれこの案内部４０によって拡開され、こうして割り部が拡開された状態で防護管の端部が電線に鋭角に接近し、その結果大きな力を必要とせず、電線を防護管端部の拡開された割り部から挿入することができるようになる。
【００２９】
図３は、本発明の防護管装着工具の実施形態の別の例を示す斜視図である。また、図４は、図３に示す実施形態の防護管装着工具の正面図（図中、（ａ））および側面図(図中、（ｂ）)を示している。これらの図に示す防護管装着工具１では、防護管拡開案内部４がその中心を挟持部２の開口方向に沿って縦断する分割面で分割され、鏡像関係にある２つの分割片（以下、防護管拡開案内部材片４ａ、４ｂという。）とされ、これらがそれぞれ１対の挟持片２１、２３の外周面の先端側の側縁領域に設けられている点が前記実施形態と相違している。これ以外の構成については、前記実施形態と本質的に変わるところはない。
【００３０】
この防護管拡開案内部材片４ａ、４ｂのそれぞれは、挟持部２の２つの挟持片２１、２３の前記基部３、３と対向する外周面の側縁領域にそれぞれ立設された支柱部片４１、４２と、これらの支柱部片４１、４２によってそれぞれ前記挟持部２の開口方向に対して鋭角に支持される案内部片４５、４６とを備えている。
【００３１】
支柱部片４１、４２は、前記実施形態に示した横断面が略船形状の支柱部４０がその長軸方向（挟持部２の開口方向に平行な方向）の中心線に沿って互いに対称となるように２つ割りされたものであり、それぞれ挟持部２の開口方向に沿った平坦な分割面４１ｂ、４２ｂと、当該方向に直交する方向外方に膨出する湾曲面４１ａ，４２ａとを側面とし、挟持部２の開口方向後方側に後端面４１ｃ，４２ｃを有している。また、各支柱部片４１、４２の立設方向先端には、挟持部２の開口方向前方側から後方側に向けて高さが次第に低くなるように傾斜した先端面を備えている。
【００３２】
また、案内部片４５、４６は、図５に示すように、略楕円形状の平面形状を有する板状体がその長軸に沿って２つ割りされたものであり、これらがそれぞれ支柱部片４１，４２の傾斜した先端にそれぞれ固定されている。これら支柱部片と案内部片（４１と４５、４２と４６）とは、溶接、所定の固定具を用いた接合などの公知の方法によって固定することができる。また、これら支柱部片と案内部片とは、公知の方法によって一体成形されていてもよい。
【００３３】
本実施形態における防護管装着工具１では、防護管拡開案内部片４ａ、４ｂをそれぞれ備えた１対の挟持片２１、２３が、これらの外周面に設けられた基部３，３を介して把持工具の固定把持片５１および可動把持片５２の先端にそれぞれ取り付けられている。この状態で把持工具の操作レバーを操作することで、固定把持片５１の先端に取り付けられた一方の挟持片（２１または２３）に対して可動他方把持片５２の先端に取り付けられた他方の挟持片（２３または２１）が接近方向または離隔方向に回動することになる。
【００３４】
このような防護管拡開案内部４を備えた本実施形態では、挟持部２によって電線を挟持した場合に、防護管拡開案内部片４ａ，４ｂは相互に分割面を当接して両者が密着した状態とされてもよく、挟持される電線の外径などによっては両者の間に僅かに隙間が生じた状態とされてもよい。後者の場合、支持部片４１，４２の防護管挿入側の端部に当該防護管の端部の脚部が引っかかる可能性があるが、この場合防護管拡開案内部片４ａ、４ｂにおける案内部片４５，４６の幅広部（または最大幅部４５ｂ、４６ｂ）を挿入端部寄りに形成するなどしておき、防護管の移動方向当該防護管の端部が支持部片（４１，４２）の端部に到達する前に防護管をその割り部から拡開させるようにすることで、このような問題の発生を防止できる。
【００３５】
以上説明したような本発明の防護管装着工具１の各部は、公知の金属を切削加工するなどして形成することができるが、作業性の観点からは、本発明の防護管装着工具１自体の軽量化を図るため、アルミニウムなどの公知の軽量金属によって形成することが好ましい。
【００３６】
本発明の防護管装着工具１を取り付ける把持工具は、その構造や外形形状については特に制限されず、また、作動方式も手動式または電動式のいずれであってもよいが、例えば図９に示すようなヤットコが好適に用いられる。この図において、ヤットコ５０は、所要の長さを備えたパイプ状の合成樹脂製絶縁操作棒５４と、その先端に取り付け部材５３を介して組みつけられた１対の固定把持片５１および可動把持片５２と、該可動把持片５２の基端側に連結ピン５３ａを介して連結された絶縁性の作動棒５５と、操作棒５４の外周を挟むように設けられた略コの字状の取り付け部材５８に固定された連結ピン５８ａを介して作動棒５５と連結された略くの字状の操作レバー５６とから主に構成される。この操作レバー５６を操作することで、可動把持片５２が固定把持片５１に接近する方向に回動し、これによって防護管などの被把持物を把持することができるものである。
【００３７】
このヤットコ５０の固定把持片５１および可動把持片５２には、通常、これらの先端寄りにそれぞれ貫通孔（不図示）が穿設されているので、この孔を利用して本発明の防護管装着工具１を取り付けることができる点は前記の通りである。
【００３８】
次に、図６を参照して本発明の防護管装着工具１の使用方法について説明する。以下では、本発明の防護管装着工具１として、防護管拡開案内部４は挟持片２１の外周面に設けられている点を除き、図１に示した実施形態と同様のものを使用している。また、防護管として蛇腹状筒形状の防護管６０を用い、これを電線に装着する場合を例にとって説明するが、本発明の防護管装着工具１を適用可能な防護管は、このような蛇腹状の防護管に限定されるものではなく、防護管が長さ方向に切り込まれた割り部を有していれば、本発明の防護管装着工具１によってこれを電線に装着することができる。また、本発明の防護管装着工具１を取り付ける把持工具としては、前記のヤットコ５０を用いている。
【００３９】
この防護管６０は、柔軟性のある素材で形成され、自由に屈曲可能な円筒形蛇腹状の胴体部を備えており、この胴体部の外周面には、その長さ方向に沿って電線Ｗを挿入可能なスリット状の割り部６０ａが形成され、この割り部６０ａの両側には、内挿される電線Ｗからの絶縁性を確保するために外方に延長された脚部６１、６１が設けられている。この割り部６０ａの内側には風などにより電線Ｗから防護管６０が容易に外れてしまわないようにツバが形成されて互いに組み合わせ可能な構造を備えていてもよい。この防護管６０は、これを装着する電線Ｗの長さに応じて適宜所要の長さに切断して利用することができる。
【００４０】
本発明の防護管装着工具１における挟持部２の１対の挟持片２１、２３のそれぞれを、これらが外周面に備える基部３、３をヤットコ５０の固定把持片５１および可動把持片５２の先端にそれぞれ嵌合し、基部３，３の側壁に設けられたねじ孔３２，３５にそれぞれボルト３７，３８を羅合してこれら基部３，３内に収容されたそれぞれの把持片５１，５２の先端に穿設された不図示の貫通孔に当該ボルト３７、３８の先端を貫通させることで、両者を固定する。この際、挟持片２１，２３は、そのどちらが固定把持片５１または可動把持片５２に固定されてもかまわない。その上で、ヤットコ５０の操作レバー５６を操作して挟持片２１、２３の一方を他方に接近させることによって電線Ｗを挟持する。なお、本発明の防護管装着工具１において、基部３、３に対して挟持片２１、２３がそれぞれ回動可能に固定されている場合には、電線Wの架線方向に各挟持片２１、２３の向きを合わせることができる。
【００４１】
この状態で、この電線Wが振れないようにヤットコ５０をその長さ方向操作端側を固定するなどして当該状態に固定した後、別途用意したヤットコなどの把持工具を用いて把持した防護管６０を本発明の防護管装着工具１の防護管拡開案内部４に近づけ、防護管６０の一端部の開口に案内部４４の挿入端部４４ａが挿入されるように防護管６０をこれに差し込む。この際、案内部４４は、この防護管６０の移動方向に沿って次第に拡幅される直角な方向外方に拡大支柱部４１、４３の防護管押込み側の端部が尖鋭に形成されているので、この支柱部４１、４３を防護管６０の割り部６０ａに割り込ませることができ、さらに防護管６０を電線に対して相対移動させることで、防護管６０はその割り部６０ａから拡開されていく。また、案内部４２、４４がこの支柱部４１、４３の先端において挟持部２に接近するように傾斜して設けられているので、防護管６０の移動方向を規制することができる。
【００４２】
さらに、ヤットコを用いて防護管６０を電線に対して相対移動させることで、防護管６０はその割り部６０ａからさらに拡開され、案内部４２、４４が最も幅広となる部分４２ｂ、４４ｂにおいて最も拡開された状態となり、その状態で電線Ｗに接近し、拡開された割り部６０ａから電線が自然に防護管内に挿入され、収容されていく。この操作を継続して行うことで、防護管６０内に電線Ｗは挿入されるとともに、当該防護管６０の差込はじめの端部は電線Ｗが挿入された状態で弾性的に割り部６０ａが閉じられ、電線Ｗが内装状態に収容される。
【００４３】
防護管６０をさらに相対移動させ、防護管６０が本発明の防護管装着工具１を通過しきったところで、その全長にわたって電線Ｗが内装状態に収容されることになる。その後、ヤットコ５０の操作レバー５６を操作して可動把持片５２を動かし、挟持部２の１対の挟持片２１、２３を開くことで、電線Ｗから本発明の防護管装着工具１を離すことができる。さらに、この電線に対して複数の防護管を装着する必要がある場合には、別の防護管について前記と同様の操作を繰り返す。
【００４４】
以上説明したように、本発明の防護管装着工具を用いることにより、電線への防護管装着作業中、電線が振れないように固定した状態にすることができ、また防護管を拡開させた状態で電線に接近させ、自然に電線は防護管内に装着されるようにできるので、大きな力を必要とせず、効率よく簡単に電線への防護管装着作業を行うことができる。また、電線への防護管の装着作業が完了した後も、防護管から把持工具を離し、本発明の防護管装着工具を電線から離すだけであるので、従来の拡開補助具や挿入補助具のように防護管から引き抜いて撤去する必要がなく、碍子などの配電設備に接触し、これを損傷することがない。
【００４５】
なお、本発明は以上説明した実施形態に限定されるものではなく、本発明の技術的思想を逸脱しない範囲で種々異なる形態をとることができることはいうまでもない。
【産業上の利用可能性】
【００４６】
本発明の防護管装着工具は、架空電線路においてそれ自体に張力のかからない縁線部分や高圧引下線などのように振れ、揺動が生じやすい電線に防護管を装着する場合に特に効果的に用いることができる。
【図面の簡単な説明】
【００４７】
【図１】本発明の防護管装着工具の実施形態の一例を示す斜視図である。
【図２】図１に示す実施形態の正面図および側面図である。
【図３】本発明の防護管装着工具の実施形態の別の例を示す斜視図である。
【図４】図２に示す実施形態の正面図および側面図である。
【図５】図２に示す実施形態における案内部をその表面に直角な方向から見た図である。
【図６】図２に示す実施形態の使用状況を説明する図である。
【図７】従来の防護管の拡開補助具の一例を示す斜視図である。
【図８】従来の拡開補助具および挿入補助具を用いた防護管の装着状況を示す図である。
【図９】把持工具の一例としてのヤットコを示す図である。
【符号の説明】
【００４８】
１    防護管装着工具
２    挟持部
２１、２３    挟持片（半筒体）
２１ａ、２３ａ    内周面
３    基部
３１、３４    箱状部材
３２、３５    ねじ孔
３３、３６    把持片収容室
４    防護管拡開案内部
４ａ、４ｂ    防護管拡開案内部片
４０    支柱部
４１、４２    支柱部（２つ割り）
４１ａ，４２ａ    湾曲面
４１ｂ、４２ｂ    分割面
４１ｃ、４２ｃ    後端面
４４    案内部
４４ａ    挿入端部
４４ｂ    最大幅部
４５、４６    案内部（２つ割り）
４５ａ、４６ａ    挿入端部（２つ割り）
４５ｂ、４６ｂ    最大幅部（２つ割り）
５０    把持工具
５１、５２    把持片
６０    防護管
６０ａ    割り部
【図１】
2008178277.tif 000003
【図２】
2008178277.tif 000004
【図３】
2008178277.tif 000005
【図４】
2008178277.tif 000006
【図５】
2008178277.tif 000007
【図６】
2008178277.tif 000008
【図７】
2008178277.tif 000009
【図８】
2008178277.tif 000010
【図９】
2008178277.tif 000011